(57)【要約】【課題】画質を高めることができる表示装置を得る。【解決手段】第１のピッチで配置された第１の構造体を有する光線制御部と、第２のピッチで配置された第２の構造体を有する液晶表示部と、バックライトとを備える。液晶表示部および光線制御部のうちの構造体の配置ピッチが小さい一方が、他方とバックライトとの間に配置されている。【選択図】図１
2014016526.tif 000002
【特許請求の範囲】
【請求項１】
第１のピッチで配置された第１の構造体を有する光線制御部と、
第２のピッチで配置された第２の構造体を有する液晶表示部と、
バックライトと
を備え、
前記液晶表示部および前記光線制御部のうちの構造体の配置ピッチが小さい一方が、他方と前記バックライトとの間に配置されている
表示装置。
【請求項２】
前記第１のピッチは、前記第２のピッチよりも小さく、
前記光線制御部は、前記液晶表示部と前記バックライトとの間に配置されている
請求項１に記載の表示装置。
【請求項３】
前記光線制御部は、開状態と閉状態とを切り換え可能な、第１の方向に延在する複数の液晶バリアを有する
請求項２に記載の表示装置。
【請求項４】
前記光線制御部は、
各液晶バリアに対応する領域に設けられ、並設された複数のサブ電極を含む第１の電極と、
前記複数の液晶バリアに対応する領域に共通に設けられ、各サブ電極に対応する位置にホールを有する第２の電極と、
前記第１の電極と前記第２の電極との間に設けられた第１の液晶層と
を有し、
前記第１の構造体は、前記サブ電極である
請求項３に記載の表示装置。
【請求項５】
前記第１の電極は、前記第１の方向に延伸する１または複数の第１のスリットと、前記第１の方向と交差する第２の方向に延伸する複数の第２のスリットを有し、
前記複数のサブ電極は、前記第１のスリットおよび前記第２のスリットにより区分されたものである
請求項４に記載の表示装置。
【請求項６】
前記光線制御部は、
各液晶バリアに対応する領域に設けられ、前記第１の方向に延伸する第１の幹部分と、前記幹部分から延伸するように並設された複数の第１の枝部分とを含む第１の電極と、
前記複数の液晶バリアに対応する領域に共通に設けられた第２の電極と、
前記第１の電極と前記第２の電極との間に設けられた第１の液晶層と
を有し、
前記第１の構造体は、前記第１の枝部分である
請求項３に記載の表示装置。
【請求項７】
前記複数の第１の枝部分は、前記第１の幹部分の両側に形成された
請求項６に記載の表示装置。
【請求項８】
前記液晶表示部は、
複数の単位画素にそれぞれ対応づけられた第３の電極と、
前記複数の単位画素に対応する領域に共通に設けられた第４の電極と、
前記第３の電極と前記第４の電極との間に設けられた第２の液晶層と
を有し、
各単位画素は、前記第２の液晶層の液晶配向が互いに異なる複数のドメイン、または単一のドメインを有し、
前記第３の電極は、前記複数のドメインのそれぞれまたは前記単一のドメインにおいて一様に形成されている
請求項２に記載の表示装置。
【請求項９】
前記単位画素は複数のドメインを有し、
前記複数のドメインは、それぞれが１つの連続領域として構成されている
請求項８に記載の表示装置。
【請求項１０】
前記液晶表示部は、
前記第２の液晶層と前記第３の電極との間に設けられ、前記液晶配向を定める複数の第１の配向領域を含む第１の配向膜と、
前記第２の液晶層と前記第４の電極との間に設けられ、前記液晶配向を定める複数の第２の配向領域を含む第２の配向膜と
を有し、
前記ドメインは、前記第１の配向領域および前記第２の配向領域により画定される領域であり、
前記第２の構造体は、前記第３の電極である
請求項９に記載の表示装置。
【請求項１１】
前記第１の配向膜は、前記単位画素に対応する領域において、並設された２つの前記第１の配向領域を含み、
前記第２の配向膜は、前記単位画素に対応する領域において、前記第１の配向領域の並設方向と交差する方向に並設された２つの前記第２の配向領域を含み、
各単位画素は、４つのドメインを有する
請求項１０に記載の表示装置。
【請求項１２】
前記液晶表示部は、前記第３の電極と前記第２の液晶層との間に設けられた第５の電極を有し、
前記第５の電極は、互いに同じ方向に延伸する第２の枝部分を含む枝領域を複数有し、
前記ドメインは、前記枝領域に対応する領域であり、
前記第２の構造体は、前記第２の枝部分である
請求項９に記載の表示装置。
【請求項１３】
前記第５の電極は、
第２の幹部分と、
前記第２の幹部分と交差する第３の幹部分と
をさらに有し、
前記枝領域は、前記第２の幹部分および前記第３の幹部分により分けられた４つの領域であり、
前記枝部分は、前記第２の幹部分および前記第３の幹部分から、前記枝領域間で互い異なる方向に延伸する
請求項１２に記載の表示装置。
【請求項１４】
前記第３の電極は１または２の第３のスリットを有し、
前記第４の電極は、前記単位画素に対応する領域内において、前記１または２の第３のスリットとは異なる部分に形成された１または２の第４のスリットを有し、
前記ドメインは、前記１または２の第３のスリットおよび前記１または２の第４のスリットにより画定される領域である
請求項９に記載の表示装置。
【請求項１５】
前記第３の電極は１つの前記第３のスリットを有し、
前記第４の電極は、前記単位画素に対応する領域のうち、前記第３のスリットにより分けられた２つの領域のそれぞれにおいて、１つの前記第４のスリットを有する
請求項１４に記載の表示装置。
【請求項１６】
前記第４の電極は、前記単位画素に対応する部分にホールを有し、
前記ドメインは、前記ホールの周りに配置された領域である
請求項９に記載の表示装置。
【請求項１７】
前記単位画素は単一のドメインを有し、
前記液晶層はＴＮ液晶であり、
前記ドメインは、前記単位画素に対応する領域である
請求項８に記載の表示装置。
【請求項１８】
前記単位画素は複数のドメインを有し、
前記複数のドメインの面積は、互いにほぼ等しい
請求項９に記載の表示装置。
【請求項１９】
前記液晶表示部は、複数の画素を有し、
前記画素は、それぞれが複数のサブ画素を有し、
前記サブ画素は、複数の前記単位画素を有する
請求項８に記載の表示装置。
【請求項２０】
前記液晶表示部は、複数の画素を有し、
前記画素は、それぞれが複数のサブ画素を有し、
前記サブ画素は、前記単位画素である
請求項８に記載の表示装置。
【請求項２１】
表示装置と
前記表示装置を利用した動作制御を行う制御部と
を備え、
前記表示装置は、
第１のピッチで配置された第１の構造体を有する光線制御部と、
第２のピッチで配置された第２の構造体を有する液晶表示部と、
バックライトと
を有し、
前記液晶表示部および前記光線制御部のうちの構造体の配置ピッチが小さい一方が、他方と前記バックライトとの間に配置されている
電子機器。
【発明の詳細な説明】
【技術分野】
【０００１】
本開示は、立体視表示が可能な表示装置、およびそのような表示装置を含んで構成される電子機器に関する。
【背景技術】
【０００２】
近年、立体視表示を実現できる表示装置が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような表示装置は、専用の眼鏡が必要なものと、不要なものとに大別されるが、観察者にとっては専用の眼鏡は煩わしく感じるものであり、専用の眼鏡が不要なものが望まれている。専用の眼鏡が不要な表示装置としては、例えば、パララックスバリア（視差バリア）方式や、レンチキュラーレンズ方式などがある。これらの方式では、互いに視差がある複数の映像（視点映像）を同時に表示し、表示装置と観察者の視点との相対的な位置関係（角度）によって見える映像が異なるようになっている。例えば、特許文献１には、バリアとして液晶素子を用いた、パララックスバリア方式の表示装置が開示されている。
【先行技術文献】
【特許文献】
【０００４】
【特許文献１】特開平３−１１９８８９号公報
【発明の概要】
【発明が解決しようとする課題】
【０００５】
ところで、一般に、表示装置では高画質が望まれ、立体視表示を実現できる表示装置でも同様に、高画質の実現が期待されている。
【０００６】
本開示はかかる問題点に鑑みてなされたもので、その目的は、画質を高めることができる表示装置および電子機器を提供することにある。
【課題を解決するための手段】
【０００７】
本開示の表示装置は、光線制御部と、液晶表示部と、バックライトとを備えている。光線制御部は、第１のピッチで配置された第１の構造体を有するものである。液晶表示部は、第２のピッチで配置された第２の構造体を有するものである。液晶表示部および光線制御部のうちの構造体の配置ピッチが小さい一方が、他方とバックライトとの間に配置されている。
【０００８】
本開示の電子機器は、上記表示装置を備えたものであり、例えば、テレビジョン装置、デジタルカメラ、パーソナルコンピュータ、ビデオカメラあるいは携帯電話等の携帯端末装置などが該当する。
【０００９】
本開示の表示装置および電子機器では、バックライトから射出した光が、光線制御部および液晶表示部を介して射出され、観察者に観察される。液晶表示部および光線制御部は、これらのうちの構造体の配置ピッチが大きい方が観察者側に配置され、配置ピッチが小さい方がバックライト側に配置されている。
【発明の効果】
【００１０】
本開示の表示装置および電子機器によれば、液晶表示部および光線制御部のうちの構造体の配置ピッチが小さい一方を、他方とバックライトとの間に配置したので、画質を高めることができる。
【図面の簡単な説明】
【００１１】
【図１】本開示の実施の形態に係る立体表示装置の一構成例を表すブロック図である。
【図２】図１に示した立体表示装置の一構成例を表す説明図である。
【図３】図１に示した表示駆動部の一構成例を表すブロック図である。
【図４】図１に示した表示部の一構成例を表す説明図である。
【図５】図４に示したサブ画素の一構成例を表す回路図である。
【図６】図１に示した表示部の一構成例を表す断面図である。
【図７】図４に示したサブ画素の一構成例を表す説明図である。
【図８】図７に示したサブ画素の一動作例を表す説明図である。
【図９】図１に示したバリア部の一構成例を表す説明図である。
【図１０】第１の実施の形態に係るバリア部の一構成例を表す断面図である。
【図１１】第１の実施の形態に係るバリア部の一構成例を表す説明図である。
【図１２】図９に示した開閉部のグループ構成例を表す説明図である。
【図１３】図１に示した表示部およびバリア部の関係を表す模式図である。
【図１４】図１に示した立体表示装置の一動作例を表す模式図である。
【図１５】図１に示した立体表示装置における光の散乱を表す説明図である。
【図１６】図１に示した立体表示装置のクロストークを説明するための説明図である。
【図１７】立体表示装置のクロストーク特性を表す特性図である。
【図１８】配置Ａ２に係る立体表示装置の一構成例を表す説明図である。
【図１９】電極形状Ｂ１に係るバリア部の一構成例を表す説明図である。
【図２０】電極形状Ｂ２，Ｂ３に係るバリア部の一特性例を表す特性図である。
【図２１】立体表示装置のモアレ特性を表す特性図である。
【図２２】電極形状Ｂ２に係るバリア部の一特性例を表す説明図である。
【図２３】電極形状Ｂ１に係るバリア部の一特性例を表す説明図である。
【図２４】第１の実施の形態の変形例に係る表示部の一構成例を表す説明図である。
【図２５】図２４に示したサブ画素の一構成例を表す説明図である。
【図２６】第１の実施の形態の他の変形例に係るサブ画素の一構成例を表す説明図である。
【図２７】第１の実施の形態の他の変形例に係るサブ画素の一構成例を表す説明図である。
【図２８】第１の実施の形態の他の変形例に係る表示部の一構成例を表す断面図である。
【図２９】図２８に示したサブ画素の一構成例を表す説明図である。
【図３０】図２８に示したサブ画素の一動作例を表す説明図である。
【図３１】第２の実施の形態に係るバリア部の一構成例を表す断面図である。
【図３２】図３１に示したバリア部の一構成例を表す説明図である。
【図３３】第２の実施の形態の変形例に係るバリア部の一構成例を表す説明図である。
【図３４】第２の実施の形態の他の変形例に係る表示部の一構成例を表す断面図である。
【図３５】図３４に示したサブ画素の一構成例を表す説明図である。
【図３６】実施の形態に係る立体表示装置が適用されたテレビジョン装置の外観構成を表す斜視図である。
【発明を実施するための形態】
【００１２】
以下、本開示の実施の形態について、図面を参照して詳細に説明する。なお、説明は以下の順序で行う。
１．第１の実施の形態
２．第２の実施の形態
３．適用例
【００１３】
＜１．第１の実施の形態＞
［構成例］
（全体構成例）
図１は、第１の実施の形態に係る立体表示装置の一構成例を表すものである。立体表示装置１は、液晶バリアを用いた、パララックスバリア方式の表示装置である。立体表示装置１は、制御部４０と、バックライト駆動部４３と、バックライト３０と、バリア駆動部４１と、バリア部１０と、表示駆動部５０と、表示部２０とを備えている。
【００１４】
制御部４０は、外部より供給される映像信号Ｓdispに基づいて、バックライト駆動部４３、バリア駆動部４１、および表示駆動部５０に対してそれぞれ制御信号を供給し、これらがお互いに同期して動作するように制御する回路である。具体的には、制御部４０は、バックライト駆動部４３に対してバックライト制御信号を供給し、バリア駆動部４１に対してバリア制御信号を供給し、表示駆動部５０に対して映像信号Ｓdispに基づいて生成した映像信号Ｓdisp2を供給するようになっている。ここで、映像信号Ｓdisp2は、立体表示装置１が通常表示（２次元表示）を行う場合には、１つの視点映像を含む映像信号Ｓ２Ｄであり、立体表示装置１が立体視表示を行う場合には、後述するように、複数（この例では８つ）の視点映像を含む映像信号Ｓ３Ｄである。
【００１５】
バックライト駆動部４３は、制御部４０から供給されるバックライト制御信号に基づいてバックライト３０を駆動するものである。バックライト３０は、バリア部１０および表示部２０に対して面発光した光を射出する機能を有している。バックライト３０は、例えば、ＬＥＤ（Light Emitting Diode）や、ＣＣＦＬ（Cold Cathode Fluorescent Lamp）などを用いて構成されるものである。
【００１６】
バリア駆動部４１は、制御部４０から供給されるバリア制御信号に基づいて、バリア部１０を駆動するものである。バリア部１０は、入射した光を透過（開動作）または遮断（閉動作）するものであり、液晶を用いて構成された複数の開閉部１１，１２（後述）を有している。
【００１７】
表示駆動部５０は、制御部４０から供給される映像信号Ｓdisp2に基づいて表示部２０を駆動するものである。表示部２０は、この例では液晶表示部であり、液晶表示素子を駆動して、入射した光を変調することにより表示を行うようになっている。
【００１８】
図２は、立体表示装置１の要部の一構成例を表すものであり、（Ａ）は立体表示装置１の分解斜視構成を示し、（Ｂ）は立体表示装置１の側面図を示す。図２に示したように、立体表示装置１では、これらの各部品は、バックライト３０、バリア部１０、表示部２０の順に配置されている。つまり、バックライト３０から射出してバリア部１０を通過した光が、表示部２０により変調され、観察者に届くようになっている。
【００１９】
（表示駆動部５０および表示部２０）
図３は、表示駆動部５０のブロック図の一例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４０から供給された映像信号Ｓdisp2に基づいて映像信号Ｓdisp3を生成し、データドライバ５３へ供給するものである。ゲートドライバ５２は、タイミング制御部５１によるタイミング制御に従って、表示部２０内の画素Ｐixを行ごとに順次選択して、線順次走査するものである。データドライバ５３は、表示部２０の各画素Ｐixへ、映像信号Ｓdisp3に基づく画素信号を供給するものである。具体的には、データドライバ５３は、映像信号Ｓdisp3に基づいてＤ／Ａ（デジタル／アナログ）変換を行うことにより、アナログ信号である画素信号を生成し、各画素Ｐixへ供給するようになっている。
【００２０】
タイミング制御部５１は、ＬＵＴ（Look Up Table）５４Ａ，５４Ｂを有している。このＬＵＴ５４Ａ，５４Ｂは、映像信号Ｓdisp2に含まれる各画素Ｐixのための画素情報（輝度情報）に対して、いわゆるガンマ補正を行うためのテーブルであり、ＬＵＴ５４Ａは、サブ画素ＳＰixのサブ画素部分ＰＡ（後述）のためのテーブルであり、ＬＵＴ５４Ｂは、サブ画素ＳＰixのサブ画素部分ＰＢ（後述）のためのテーブルである。タイミング制御部５１は、画素情報（輝度情報）に対して、ＬＵＴ５４Ａ，５４Ｂを用いて互いに異なるガンマ補正を行い、映像信号Ｓdisp3を生成する。そして、データドライバ５３は、ＬＵＴ５４Ａを用いて生成された画素信号を、サブ画素ＳＰixのサブ画素部分ＰＡ（後述）に供給するとともに、ＬＵＴ５４Ｂを用いて生成された画素信号を、そのサブ画素ＳＰixのサブ画素部分ＰＢ（後述）に供給する。表示部２０では、後述するように、サブ画素部分ＰＡ，ＰＢは、それらの画素信号に基づいてそれぞれ表示を行う。すなわち、表示部２０は、サブ画素部分ＰＡ，ＰＢが、１つの画素情報を異なるガンマ特性で表示する、いわゆるハーフトーン駆動による表示を行うものである。
【００２１】
図４は、表示部２０の一構成例を表すものである。表示部２０には、画素Ｐixがマトリクス状に配置されている。各画素Ｐixは、赤色（Ｒ）、緑色（Ｇ）、青色（Ｂ）にそれぞれ対応する３つのサブ画素ＳＰixを有している。サブ画素ＳＰixは、水平方向において、所定のピッチ（サブ画素ピッチＰＳ）で配置されている。サブ画素ＳＰix間には、いわゆるブラックマトリクスＢＭが形成され、入射した光が遮光されるようになっている。これにより、表示部２０では、赤色（Ｒ）、緑色（Ｇ）、青色（Ｂ）の混色がおこりにくくなっている。各サブ画素ＳＰixは、垂直方向Ｙに並設されたサブ画素部分ＰＡ，ＰＢを有している。なお、この例では、サブ画素部分ＰＡ，ＰＢは同じ大きさとしたが、これに限定されるものではなく、これに代えて、例えば、サブ画素部分ＰＡをサブ画素部分ＰＢよりも大きくしてもよい。
【００２２】
図５は、サブ画素ＳＰixの回路図の一例を表すものである。サブ画素ＳＰixのサブ画素部分ＰＡは、例えばＭＯＳ（Metal Oxide Semiconductor）型のＦＥＴ（Field Effect Transistor）により構成されるＴＦＴ素子ＴｒＡと、液晶素子ＬＣＡと、保持容量素子ＣｓＡとを備えている。ＴＦＴ素子ＴｒＡは、ゲートがゲート線ＧＣＬＡに接続され、ソースがデータ線ＳＧＬに接続され、ドレインが液晶素子ＬＣＡの一端と保持容量素子ＣｓＡの一端に接続されている。液晶素子ＬＣＡは、一端がＴＦＴ素子ＴｒＡのドレインに接続され、他端は共通電極ＣＯＭ（後述する対向電極２２２）に接続されて接地されている。保持容量素子ＣｓＡは、一端がＴＦＴ素子ＴｒＡのドレインに接続され、他端は保持容量線ＣＳＬに接続されている。同様に、サブ画素ＳＰixのサブ画素部分ＰＢは、例えばＭＯＳ型のＦＥＴにより構成されるＴＦＴ素子ＴｒＢと、液晶素子ＬＣＢと、保持容量素子ＣｓＢとを備えている。ＴＦＴ素子ＴｒＢは、ゲートがゲート線ＧＣＬＢに接続され、ソースがデータ線ＳＧＬに接続され、ドレインが液晶素子ＬＣＢの一端と保持容量素子ＣｓＢの一端に接続されている。液晶素子ＬＣＢは、一端がＴＦＴ素子ＴｒＢのドレインに接続され、他端は共通電極ＣＯＭ（後述する対向電極２２２）に接続されて接地されている。保持容量素子ＣｓＢは、一端がＴＦＴ素子ＴｒＢのドレインに接続され、他端は保持容量線ＣＳＬに接続されている。ゲート線ＧＣＬＡ，ＧＣＬＢはゲートドライバ５２に接続され、データ線ＳＧＬはデータドライバ５３に接続されている。
【００２３】
図６は、表示部２０の断面構成例を表すものである。表示部２０は、駆動基板２１０と対向基板２２０との間に、液晶層２００を封止したものである。
【００２４】
駆動基板２１０は、透明基板２１１と、画素電極２１２と、配向膜２１３と、偏光板２１４とを有している。透明基板２１１は、例えばガラス等から構成されるものであり、その表面には、図示しないＴＦＴ素子ＴｒＡ，ＴｒＢ等が形成されている。この透明基板２１１上には、サブ画素部分ＰＡ，ＰＢごとに画素電極２１２が配設されている。この画素電極２１２は、例えばＩＴＯ（Indium Tin Oxide）等の透明導電膜により構成されるものであり、サブ画素部分ＰＡ，ＰＢの各領域内において一様に形成されている。そして、画素電極２１２の上には、配向膜２１３が形成されている。配向膜２１３は、例えば紫外線などを照射することにより、液晶層２００における液晶分子Ｍの配向方向を定める、いわゆる光配向処理が施されたものである。駆動基板２１１の、画素電極２１２などが形成された面とは反対の面には、偏光板２１４が貼り付けられている。
【００２５】
対向基板２２０は、透明基板２２１と、対向電極２２２と、配向膜２２３と、偏光板２２４とを有している。透明基板２２１は、透明基板２１１と同様に、例えばガラス等から構成されるものであり、その表面には、図示しないカラーフィルタやブラックマトリクスＢＭが形成されている。この透明基板２２１上には、対向電極２２２が、サブ画素ＳＰixに共通の電極として配設されている。この対向電極２２２は、例えばＩＴＯ等の透明導電膜により構成されるものであり、この例では、表示部２０の全面において一様に形成されている。そして対向電極２２２の上には、配向膜２２３が形成されている。配向膜２２３は、配向膜２１３と同様に、いわゆる光配向処理が施されたものである。駆動基板２２１の、対向電極２２２などが形成された面とは反対の面には、偏光板２２４が貼り付けられている。
【００２６】
液晶層２００は、例えば、負の誘電率異方性を有する液晶分子Ｍを含むものである。この液晶分子Ｍは、配向膜により、垂直配向される液晶分子Ｍを含むものである。すなわち、液晶層２００は、いわゆるＶＡ（Vertical Alignment）液晶として機能するものである。
【００２７】
図７は、サブ画素ＳＰixを表すものであり、（Ａ）は画素電極２１２を示し、（Ｂ）は電圧印加時における液晶分子Ｍの平均的な配向方向を模式的に示すものである。画素電極２１２は、図７（Ａ）に示したように、サブ画素部分ＰＡ，ＰＢのそれぞれにおいて、一様に形成されている。また、表示部２０では、図７（Ｂ）に示したように、サブ画素部分ＰＡ，ＰＢのそれぞれにおいて、液晶分子Ｍの配向方向が互いに異なる複数の領域（ドメインＤ１〜Ｄ４）が設けられている。これらのドメインＤ１〜Ｄ４は、配向膜２１３，２２３に対する光配向処理により、液晶分子Ｍの配向方向がドメイン間で互いに異なるように形成されたものであり、互いにほぼ等しい面積を有するものである。
【００２８】
図８は、異なる２つのドメイン（この例ではドメインＤ１，Ｄ２）における液晶分子Ｍの向きを模式的に表すものであり、（Ａ）は０Ｖの画素信号が画素電極２０２に印加された場合を示し、（Ｂ）は電圧Ｖｈの画素信号が印加された場合を示し、（Ｃ）は電圧Ｖｈより大きい電圧Ｖｗの画素信号が印加された場合を示す。ここで、電圧Ｖｈは、例えば４Ｖ程度であり、電圧Ｖｗは例えば８Ｖ程度である。
【００２９】
０Ｖの画素信号が画素電極２１２に印加された場合には、図８（Ａ）に示したように、液晶分子Ｍは、その長軸が基板面に対して垂直な方向を向く。この場合には、そのサブ画素部分ＰＡ，ＰＢでは、光の透過率が十分に低くなり、黒表示が行われる。また、電圧Ｖｗの画素信号が画素電極２１２に印加された場合には、図８（Ｃ）に示したように、液晶分子Ｍは、その長軸が基板面に対して平行な方向を向く。この場合には、そのサブ画素部分ＰＡ，ＰＢでは、光の透過率が高くなり、いわゆる白表示が行われる。
【００３０】
一方、電圧Ｖｈの画素信号が画素電極２１２に印加された場合には、図８（Ｂ）に示したように、液晶分子Ｍは、その長軸が図８（Ａ）に示した向きと図８（Ｃ）に示した向きの中間の向きに傾斜する。その際、図８（Ｂ）に示したように、液晶分子Ｍは、図において左側のドメインＤ１と右側のドメインＤ２とで、その傾斜する向きは異なるものの、その傾斜する程度（角度）は同等である。この場合には、そのサブ画素部分ＰＡ，ＰＢでは、光の透過率が中程度となり、中間調の表示が行われる。
【００３１】
このように、表示部２０では、画素電極２０２に画素信号を印加することにより、液晶分子Ｍが、各ドメインＤ１〜Ｄ４において異なる方向を向く。その際、サブ画素部分ＰＡ，ＰＢは、特に中間調の状態において、ＬＵＴ５４Ａ，５４Ｂを用いて生成された互いに異なる画素信号によりそれぞれ駆動されるため、例えば、サブ画素部分ＰＡのドメインＤ１における液晶分子Ｍと、サブ画素部分ＰＢのドメインＤ１における液晶分子Ｍとは、それぞれ異なる方向を向く。他のドメインＤ２〜Ｄ４についても同様である。これにより、表示部２０は、視野角特性を高めることができるようになっている。
【００３２】
（バリア部１０）
バリア部１０は、液晶バリアにより構成されるパララックスバリアである。以下に、その詳細を説明する。
【００３３】
図９は、バリア部１０の一構成例を表すものである。バリア部１０は、光を透過または遮断する複数の開閉部（液晶バリア）１１，１２を有している。開閉部１１，１２は、ＸＹ平面における一方向（この例では、垂直方向Ｙから所定の角度θをなす方向）に延在して設けられるとともに、水平方向Ｘにおいて交互に配置されている。この例では、開閉部１２の幅Ｗ１２を、表示部２０におけるサブ画素ピッチＰＳとほぼ等しくしている。また、この例では、開閉部１１の幅Ｗ１１および開閉部１２の幅Ｗ１２は、互いにほぼ等しくしている。なお、開閉部１１，１２の幅の大小関係はこれに限定されず、Ｗ１１＞Ｗ１２であってもよく、またＷ１１＜Ｗ１２であってもよい。
【００３４】
図１０は、バリア部１０の断面構成例を表すものである。バリア部１０は、駆動基板３１０と対向基板３２０との間に、液晶層３００を封止したものである。
【００３５】
駆動基板３１０は、透明基板３１１と、バリア電極３１２と、配向膜３１３と、偏光板３１４とを有している。透明基板３１１は、例えばガラス等から構成されるものである。この透明基板３１１上には、開閉部１１，１２に対応する領域にバリア電極３１２が配設されている。このバリア電極３１２は、例えばＩＴＯ（Indium Tin Oxide）等の透明導電膜により構成されるものであり、後述するように、スリットＳＬ１１〜ＳＬ１３により区分された複数のサブ電極部分３３０を有している。そして、バリア電極３１２の上には、配向膜３１３が形成されている。駆動基板３１１の、バリア電極３１２などが形成された面とは反対の面には、偏光板３１４が貼り付けられている。
【００３６】
対向基板３２０は、透明基板３２１と、対向電極３２２と、配向膜３２３と、偏光板３２４とを有している。透明基板３２１は、透明基板３１１と同様に、例えばガラス等から構成されるものである。この透明基板３２１上には、対向電極３２２が、開閉部１１，１２に共通の電極として配設されるとともに、後述するように、ホール３３１が形成されている。この対向電極３２２は、例えばＩＴＯ等の透明導電膜により構成されるものである。そして対向電極３２２の上には、配向膜３２３が形成されている。駆動基板３２１の、対向電極３２２などが形成された面とは反対の面には、偏光板３２４が貼り付けられている。
【００３７】
液晶層３００は、表示部２０における液晶層２００と同様に、いわゆるＶＡ（Vertical Alignment）液晶として機能するものである。
【００３８】
図１１は、バリア部１０における電極パターンの一構成例を表すものであり、（Ａ）はバリア電極３１２を示し、（Ｂ）は対向電極３２２を示す。
【００３９】
バリア電極３１２は、図１１（Ａ）に示したように、開閉部１１，１２に対応する部分に形成され、垂直方向Ｙから所定の角度θをなす方向に延伸している。バリア電極３１２は、サブ電極ピッチＰＥで並設された複数のサブ電極部分３３０により構成されている。すなわち、サブ電極部分３３０は、表示部２０におけるサブ画素ピッチＰＳよりも小さいピッチ（サブ電極ピッチＰＥ）で配列している。上述したように、開閉部１２の幅Ｗ１２は、表示部２０におけるサブ画素ピッチＰＳとほぼ等しいからである。このサブ電極部分３３０は、バリア電極３１２に形成されたスリットＳＬ１１〜ＳＬ１３により区分されることにより形成されている。スリットＳＬ１１，ＳＬ１２は、バリア電極３１２の延伸方向と交差する方向に延伸するとともに、バリア電極３１２の延伸方向において交互に形成されている。スリットＳＬ１３は、バリア電極３１２の延伸方向に延伸するとともに、スリットＳＬ１１と交差するように形成されている。
【００４０】
対向電極３２２は、図１１（Ｂ）に示したように、バリア部１０の全面にわたり形成されている。さらに、対向電極３２２には、バリア電極３１２におけるサブ電極部分３３０の中心付近に対応する位置に、ホール３３１が形成されている。
【００４１】
このような構成により、液晶層３００では、バリア電極３１２および対向電極３２２の電位差に基づいて、光の透過率がそれぞれ変化する。よって、バリア電極３１２ごとに電圧を印加することにより、開閉部１１，１２はそれぞれ開閉動作を行うことができるようになっている。
【００４２】
これらの開閉部１１，１２は、立体表示装置１が通常表示（２次元表示）および立体視表示のどちらを行うかにより、異なる動作を行う。すなわち、開閉部１１は、後述するように、通常表示を行う際には開状態（透過状態）になり、立体視表示を行う際には、閉状態（遮断状態）になる。一方、開閉部１２は、後述するように、通常表示を行う際には開状態（透過状態）になり、立体視表示を行う際には、時分割的に開状態（透過状態）になる。具体的には、開閉部１２は、複数のグループにグループ分けされており、立体視表示を行う際、同じグループに属する複数の開閉部１２が、同じタイミングで開動作および閉動作を行うようになっている。以下に、開閉部１２のグループについて説明する。
【００４３】
図１２は、開閉部１２のグループ構成例を表すものである。開閉部１２は、この例では４つのグループＡ〜Ｄにグループ分けされている。具体的には、図１２に示したように、グループＡを構成する開閉部１２（開閉部１２Ａ）と、グループＢを構成する開閉部１２（開閉部１２Ｂ）と、グループＣを構成する開閉部１２（開閉部１２Ｃ）と、グループＤを構成する開閉部１２（開閉部１２Ｄ）とが、この順で巡回するように配置されている。
【００４４】
バリア駆動部４１は、立体視表示を行う際、同じグループに属する複数の開閉部１２が同じタイミングで開閉動作を行うように駆動する。具体的には、バリア駆動部４１は、後述するように、グループＡに属する複数の開閉部１２Ａを同時に開閉し、次にグループＢに属する複数の開閉部１２Ｂを同時に開閉し、次にグループＣに属する複数の開閉部１２Ｃを同時に開閉し、次にグループＤに属する複数の開閉部１２Ｄを同時に開閉することにより、開閉部１２Ａ〜１２Ｄを時分割的に巡回して開閉動作するように駆動する。
【００４５】
図１３は、立体視表示を行う場合のバリア部１０の状態を、断面構造を用いて模式的に表すものである。この例では、開閉部１２Ａは、表示部２０の８つのサブ画素ＳＰixに１つの割合で設けられている。同様に、開閉部１２Ｂ，１２Ｃ，１２Ｄは、それぞれ、表示部２０の８つのサブ画素ＳＰixに１つの割合で設けられている。なお、これに限定されるものではなく、開閉部１２Ａ〜１２Ｄを、表示部２０の８つのサブ画素ＳＰixに１つの割合ではなく、８つの画素Ｐixに１つの割合でそれぞれ設けてもよい。図１３では、バリア部１０の開閉部１１，１２（１２Ａ〜１２Ｄ）のうち、光が遮断される開閉部を斜線で示している。
【００４６】
立体表示装置１では、立体視表示を行う場合には、表示駆動部５０に映像信号Ｓ３Ｄが供給され、表示部２０はそれに基づいて表示を行う。そして、バリア部１０では、開閉部１１が閉状態（遮断状態）を維持するとともに、表示部２０の表示に同期して開閉部１２
（開閉部１２Ａ〜１２Ｄ）が時分割的に開閉動作を行う。
【００４７】
具体的には、バリア駆動部４１が開閉部１２Ａを開状態（透過状態）にした場合には、表示部２０では、図１３（Ａ）に示したように、この開閉部１２Ａに対応した位置に配置された互いに隣接する８つのサブ画素ＳＰixが、８つの視点映像に対応する画素情報Ｐ１〜Ｐ８を表示する。同様に、バリア駆動部４１が開閉部１２Ｂを開状態（透過状態）にした場合には、表示部２０では、図１３（Ｂ）に示したように、この開閉部１２Ｂに対応した位置に配置された互いに隣接する８つのサブ画素ＳＰixが、８つの視点映像に対応する画素情報Ｐ１〜Ｐ８を表示する。また、バリア駆動部４１が開閉部１２Ｃを開状態（透過状態）にした場合には、表示部２０では、図１３（Ｃ）に示したように、この開閉部１２Ｃに対応した位置に配置された互いに隣接する８つのサブ画素ＳＰixが、８つの視点映像に対応する画素情報Ｐ１〜Ｐ８を表示する。そして、バリア駆動部４１が開閉部１２Ｄを開状態（透過状態）にした場合には、表示部２０では、図１３（Ｄ）に示したように、この開閉部１２Ｄに対応した位置に配置された互いに隣接する８つのサブ画素ＳＰixが、８つの視点映像に対応する画素情報Ｐ１〜Ｐ８を表示する。
【００４８】
これにより、観察者は、後述するように、例えば左眼と右眼とで異なる視点映像を見ることができ、表示された映像を立体的な映像として感じるようになっている。立体表示装置１では、このように、開閉部１２Ａ〜１２Ｄを時分割的に切り換えて開閉し映像を表示することにより、後述するように、表示装置の解像度を高めることができるようになっている。
【００４９】
また、通常表示（２次元表示）を行う場合には、表示部２０は、映像信号Ｓ２Ｄに基づいて通常の２次元映像を表示し、バリア部１０では、開閉部１１および開閉部１２（開閉部１２Ａ〜１２Ｄ）は全て開状態（透過状態）を維持するようになっている。これにより、観察者は、表示部２０に表示された通常の２次元映像をそのまま見ることができる。
【００５０】
ここで、バリア部１０は、本開示における「光線制御部」の一具体例に対応する。サブ電極部分３３０は、本開示における「第１の構造体」の一具体例に対応する。サブ電極ピッチＰＥは、本開示における「第１のピッチ」の一具体例に対応する。表示部２０は、本開示における「液晶表示部」の一具体例に対応する。画素電極２１２は、本開示における「第２の構造体」の一具体例に対応する。サブ画素ピッチＰＳは、本開示における「第２のピッチ」の一具体例に対応する。
【００５１】
［動作および作用］
続いて、本実施の形態の立体表示装置１の動作および作用について説明する。
【００５２】
（全体動作概要）
まず、図１などを参照して、立体表示装置１の全体動作概要を説明する。制御部４０は、外部より供給される映像信号Ｓdispに基づいて、バックライト駆動部４３、バリア駆動部４１、および表示駆動部５０を制御する。バックライト駆動部４３は、制御部４０から供給されるバックライト制御信号に基づいてバックライト３０を駆動する。バックライト３０は、面発光した光をバリア部１０に対して射出する。バリア駆動部４１は、制御部４０から供給されるバリア制御信号に基づいてバリア部１０を制御する。バリア部１０の開閉部１１，１２は、バリア駆動部４１からの指示に基づいて開閉動作を行う。表示駆動部５０は、制御部４０から供給される映像信号Ｓdisp2に基づいて表示部２０を駆動する。表示部２０は、バックライト３０から射出し、バリア部１０の開閉部１１，１２を透過した光を変調することにより表示を行う。
【００５３】
（詳細動作）
次に、立体視表示を行う場合の詳細動作を説明する。
【００５４】
図１４は、バリア駆動部４１が開閉部１２Ａを開状態（透過状態）にした場合の、表示部２０およびバリア部１０の動作例を表すものである。この場合には、開閉部１２Ａが開状態（透過状態）になるとともに、開閉部１２Ｂ〜１２Ｄが閉状態（遮断状態）になり、表示部２０は、映像信号Ｓ３Ｄに含まれる８つの視点映像のそれぞれに対応する画素情報Ｐ１〜Ｐ８を、開閉部１２Ａ付近に配置されたサブ画素ＳＰixにそれぞれ表示する。これにより、画素情報Ｐ１〜Ｐ８に対応する光は、各サブ画素ＳＰixと開閉部１２Ａとの相対的な位置関係に応じて、それぞれ角度が制限されて出力される。よって、例えば、立体表示装置１の表示画面の正面から観察する観察者は、左眼で画素情報Ｐ５を、右眼で画素情報Ｐ４を見ることにより、立体的な映像を見ることができる。なお、ここでは、バリア駆動部４１が開閉部１２Ａを開状態にした場合について説明したが、開閉部１２Ｂ〜１２Ｄを開状態にした場合についても同様である。
【００５５】
このように、観察者は、左眼と右眼とで、画素情報Ｐ１〜Ｐ８のうちの異なる画素情報を見ることとなり、観察者は立体的な映像として感じることができる。また、開閉部１２Ａ〜１２Ｄを時分割的に順次開閉して映像を表示することにより、観察者は、互いにずれた位置に表示される映像を平均化して見ることとなる。よって、立体表示装置１は、開閉部１２Ａのみをもつ場合に比べ、４倍の解像度を実現することが可能となる。言い換えれば、立体表示装置１の解像度は、２次元表示の場合に比べ１／２（＝１／８×４）で済むこととなる。
【００５６】
（クロストークについて）
図１４に示したように、立体視表示の際には、観察者は、左眼と右眼とで、異なる視点映像を観察することが望ましい。しかしながら、以下に示すように、観察者は、本来観察すべき視点映像と、その視点映像とは異なる視点映像とが混ざり合った映像を観察するおそれがある。
【００５７】
図１５は、バリア部１０および表示部２０における光の散乱を表すものである。立体視表示の際には、バックライト３０から射出し、開状態になっている開閉部１２を通過した光は、表示部２０を介して光Ｌ１として出力される。その際、例えば、バリア部１０や表示部２０では、光Ｌ２，Ｌ３で示したように、入射光が、電極パターンや配線パターンなどにより回折あるいは屈折し、偏光板などにより散乱されるおそれがある。具体的には、例えば、これらの電極パターンなどが狭い構造ピッチで周期的に配置された場合に、強く散乱されるおそれがある。
【００５８】
このように、ある視点映像に係る光が散乱し、その進行方向が変化した場合には、その散乱光が他の視点映像に係る光と混ざり合うおそれがある。すなわち、この場合には、互いに異なる視点映像が混ざり合うこととなり（クロストーク）、観察者は、画質が低下したように感じることとなる。
【００５９】
図１６は、立体表示装置１のクロストーク特性を表すものである。図１６に示したクロストーク特性は、以下のようにして得られるものである。すなわち、まず、表示部２０は、ある視点映像が全面において白色（白画像）であり、その他の視点映像が全面において黒色（黒画像）である、８つの視点映像を表示する。そして、バリア部１０が、あるグループに属する開閉部１２（例えばグループＡに属する開閉部１２Ａ）のみを常に開状態（透過状態）にし、他のグループに属する開閉部１２を常に閉状態（遮断状態）にする。そして、水平方向の観察角度αを変化させながらその輝度Ｉを測定することにより、図１６に示したクロストーク特性が得られる。
【００６０】
図１６に示したように、輝度Ｉは、観察者が、図１５に示した直進光Ｌ１を観察するような観察角度αにおいて大きくなり（部分Ｐｔ）になり、それ以外の観察角度αにおいて小さくなる（部分Ｐｂ）。この部分Ｐｂにおける輝度Ｉのうちの一部は、図１５に示した光の散乱に起因するものである。部分Ｐｂにおける輝度Ｉが大きくなるほど、本来観察すべき視点映像に加え、その視点画像とは異なる視点映像が表示されるようになるため、画質が低下してしまう。
【００６１】
立体表示装置１では、図２に示したように、バックライト３０、バリア部１０、表示部２０をこの順に配置している。さらに、表示部２０では、図７などに示したように、画素電極２１２をサブ画素ＳＰixにおいて一様に形成し、細かい電極パターンを設けないように構成している。言い換えれば、表示部２０では、最小の構造ピッチがサブ画素ピッチＰＳになるように構成している。これにより、以下に詳細に説明するように、クロストークを低減することができる。
【００６２】
図１７は、様々な構成における立体表示装置のクロストーク値ＣＴを表すものである。ここで、クロストーク値ＣＴは、部分Ｐｂにおける輝度Ｉを、部分Ｐｔにおける輝度Ｉで割ったものである。
【００６３】
この例では、バックライト３０、バリア部１０、表示部２０の配置順が互いに異なる配置Ａ１，Ａ２について検討している。配置Ａ１は、図２に示したように、バックライト３０、バリア部１０、表示部２０をこの順に配置したものである。すなわち、配置Ａ１は、観察者の側に表示部２０を配置したものである。一方、配置Ａ２は、図１８に示したように、バックライト３０、表示部２０、バリア部１０をこの順に配置したものである。すなわち、配置Ａ２は、観察者の側にバリア部１０を配置したものである。
【００６４】
さらに、この例では、バリア部１０におけるバリア電極３１２の電極形状が互いに異なる電極形状Ｂ１〜Ｂ３についても検討している。電極形状Ｂ１は、図１９に示したように、各バリア電極３１２において、スリットＳＬ１１，１３を省くことにより、サブ電極部分３３０を、図１１に示したものよりも４倍程度の大きさで形成したものである。電極形状Ｂ２は、図１１に示したバリア電極３１２の形状である。電極形状Ｂ３は、図示しないが、さらにスリットを増やすことにより、サブ電極部分３３０を、図１１に示したものよりも約４分の１程度の大きさで形成したものである。すなわち、サブ電極ピッチＰＥは、電極形状Ｂ１，Ｂ２，Ｂ３の順に小さくなっている。
【００６５】
この図１７では、配置Ａ１，Ａ２と電極形状Ｂ１〜Ｂ３とを組み合わせた６つの構成でのクロストーク値ＣＴをそれぞれ示している。なお、立体表示装置１は、配置Ａ１および電極形状Ｂ２の組み合わせに対応するものである。
【００６６】
図１７に示したように、配置Ａ２では、電極形状Ｂ１，Ｂ２，Ｂ３の順に、すなわちバリア部１０におけるサブ電極ピッチＰＥが小さくなるほど、クロストーク値ＣＴが増加する。これは、次に示すように、観察者の側に配置されたバリア部１０における散乱に起因している。
【００６７】
図２０は、バリア部１０のみに対してレーザー光を照射したときの透過光の分布を表すものであり、（Ａ）は電極形状Ｂ２の場合を示し、（Ｂ）は電極形状Ｂ３の場合を示す。同心円の中心は、直進光の位置に対応しており、同心円の径方向は極角に対応している。電極形状Ｂ３では、上述したように電極形状Ｂ２に比べてサブ電極部分３３０が小さく、サブ電極ピッチＰＥが小さい。このため、図２０（Ｂ）に示したように、電極形状Ｂ３を有するバリア部１０では、電極形状Ｂ２の場合（図２０（Ａ））と比べて、より広い範囲に光が散乱される。
【００６８】
このように、バリア部１０では、サブ電極ピッチＰＥが小さいほど、光の散乱が多くなる。よって、バリア部１０を観察者の側に配置（配置Ａ２）して立体表示装置を構成した場合でも、サブ電極ピッチＰＥが小さいほどバリア部１０における光の散乱が多くなるため、図１６に示した部分Ｐｂにおける輝度Ｉが増加する。これにより、図１７に示したように、電極形状Ｂ１，Ｂ２，Ｂ３の順にクロストーク値ＣＴが増加する。
【００６９】
一方、配置Ａ１では、図１７に示したように、クロストーク値ＣＴは、電極形状Ｂ１，Ｂ２，Ｂ３によらずほぼ一定の値である。すなわち、図２に示したように、バリア部１０を表示部２０とバックライト３０の間に配置した場合には、バリア部１０のサブ電極ピッチＰＥを変えても、クロストーク値ＣＴは、配置Ａ２の場合とは異なりほぼ一定となる。
【００７０】
このことは、クロストーク値ＣＴは、バリア部１０および表示部２０のうちの観察者の側に配置されたものにおける散乱により影響を受けることを意味している。すなわち、配置Ａ２では、図１８に示したように、バリア部１０が観察者の側に配置されているため、バリア部１０における散乱がクロストーク値ＣＴに寄与し、一方、配置Ａ１では、図２に示したように、表示部２０が観察者の側に配置されているため、表示部２０における散乱がクロストーク値ＣＴに寄与すると考えられる。このことから、クロストーク値ＣＴを低減するためには、バリア部１０および表示部２０のうちの観察者の側に配置されたものにおける構造ピッチを大きくすることが望ましいと考えられる。
【００７１】
立体表示装置１では、表示部２０を観察者の側に配置している。そして、表示部２０では、図７に示したように、画素電極２１２をサブ画素ＳＰixにおいて一様に形成している。すなわち、表示部２０では、最小の構造ピッチは、図４に示したように、サブ画素ピッチＰＳである。このように、表示部２０では、電極パターンをシンプルにしたので、例えば細かな繰り返しパターンがある場合と異なり、構造ピッチを大きくすることができ、散乱を少なくすることができる。立体表示装置１では、このように散乱を低く抑えることができる表示部２０を観察者の側に配置したので、クロストーク値ＣＴを低減することができるとともに、バリア部１０を表示部２０とバックライト３０の間に配置したので、クロストーク値ＣＴへの影響を抑えることができる。
【００７２】
また、このようにバリア部１０のクロストーク値ＣＴへの影響を抑えることができるため、バリア部１０の設計の自由度を高めることができる。具体的には、例えば、以下に示すように、モアレを低減するように、バリア部１０を構成することが可能となる。
【００７３】
（モアレについて）
一般に、パララックスバリア方式の立体表示装置では、バリア部において開閉部が並設され、表示部においてサブ画素が並設されているため、バリア部において発生する暗線と、表示部のブラックマトリクスとの干渉により、モアレが発生するおそれがある。
【００７４】
図２１は、様々な構成における立体表示装置のモアレ変調度ＭＭを表すものである。ここで、モアレ変調度ＭＭは、表示画面におけるモアレに起因する輝度変化であり、（輝度最大値−輝度最小値）／（輝度最大値＋輝度最小値）で表されるものである。この例では、電極形状Ｂ１，Ｂ２，Ｂ３についてのモアレ変調度ＭＭを示している。なお、この例では、バリア部１０を、表示部２０とバックライト３０との間に配置（配置Ａ１）している。
【００７５】
図２１に示したように、電極形状Ｂ１，Ｂ２，Ｂ３の順に、すなわちサブ電極ピッチＰＥが小さいほど、モアレ変調度ＭＭは減少する。これは、次に示すように、サブ電極ピッチＰＥが小さいほど、暗線の線密度が高くなるためである。
【００７６】
図２２は、バリア部１０（電極形状Ｂ２）における暗線を表すものである。この例では、説明の便宜上、開閉部１１，１２は全て開状態（透過状態）とする。バリア部１０では、スリットＳＬ１１〜ＳＬ１３の部分、および互いに隣接するバリア電極３１２の境界部分では、液晶層３００における液晶の配向が不十分になるため、十分に光を透過することができない。特に、スリットＳＬ１３の部分や、バリア電極３１２の境界部分では、表示画面の上から下にわたって十分に光を透過することができない領域が線状に形成されるため、いわゆる暗線Ｍ１，Ｍ２が形成される。この例では、開閉部１２の幅Ｗ１２をサブ画素ＳＰixのサブ画素ピッチＰＳとほぼ等しくしているため、暗線Ｍ１，Ｍ２の線密度は、ブラックマトリックスＢＭによる暗線の線密度の約２倍程度である。
【００７７】
図２３は、バリア部１０のバリア電極３１２を電極形状Ｂ１で構成した場合における暗線を表すものである。この場合、特に、バリア電極３１２の境界部分では、表示画面の上から下にわたって十分に光を透過することができない領域が線状に形成されるため、暗線Ｍ２が形成される。この場合の暗線の密度は、電極形状Ｂ２の場合（図２１）と比べて、半分になっている。言い換えれば、暗線Ｍ２の線密度は、ブラックマトリックスＢＭによる暗線の線密度とほぼ等しい。
【００７８】
このように、サブ電極ピッチＰＥを小さくすると、暗線の線密度を高くすることができる。これにより、図２１に示したように、モアレ変調度ＭＭを低減することができる。
【００７９】
立体表示装置１では、バリア部１０のバリア電極３１２を電極形状Ｂ２で構成している。これにより、図２２に示したように、バリア部１０で生じる暗線の線密度を高めることができるため、モアレを低減することができ、画質を高めることができる。
【００８０】
特に、立体表示装置１では、構造ピッチが大きい表示部１０を観察者の側に配置し、構造ピッチが小さいバリア部１０をバックライト３０側に配置したので、クロストーク値ＣＴを低く抑えることができるとともに、モアレを低減することができ、画質を高めることができる。すなわち、この例では、開閉部１２の幅Ｗ１２をサブ画素ＳＰixのサブ画素ピッチＰＳとほぼ等しくしていることから、バリア部１０のサブ電極ピッチＰＥの方が、表示部２０のサブ画素ピッチＰＳよりも小さい。よって、観察者の側に構造ピッチが大きい表示部１０を配置することにより、クロストーク値ＣＴを低く抑えることができるとともに、バックライト３０側に構造ピッチが小さいバリア部２０を配置することにより、クロストーク値ＣＴを悪化させるおそれを低減しつつ、モアレを低減することができる。
【００８１】
［効果］
以上のように本実施の形態では、観察者の側に表示部を配置したので、バリア部の設計の自由度を高めることができる。
【００８２】
また、本実施の形態では、表示部におけるサブ画素の構成をシンプルにすることにより、表示部の構造ピッチを大きくしたので、表示部における散乱を少なくすることができ、クロストークを低減することができ、画質を高めることができる。
【００８３】
また、本実施の形態では、バリア部における構造ピッチを小さくしたので、モアレが発生するおそれを低減することができ、画質を高めることができる。特に、表示部の構造ピッチよりもバリア部の構造ピッチを小さくしたので、クロストークの悪化をおさえつつ、モアレが発生するおそれを低減することができる。
【００８４】
［変形例１−１］
上記実施の形態では、配向膜２１３，２２３には、いわゆる光配向処理を施したが、これに限定されるものではなく、これに代えて、例えば、いわゆるラビング処理を施してもよい。
【００８５】
［変形例１−２］
上記実施の形態では、サブ画素ＳＰixにサブ画素部分ＰＡ，ＰＢを設けたが、これに限定されるものではなく、これに代えて、例えば、図２４に示したように、サブ画素部分を設けず、サブ画素ＳＰixが一体として駆動されるようにしてもよい。この場合には、図２５に示したように、各サブ画素ＳＰixのそれぞれにおいて、４つのドメインＤ１〜Ｄ４を設けることが望ましい。
【００８６】
［変形例１−３］
上記実施の形態では、表示部２０において、配向膜２１３，２２３に光配向処理を施すことによりドメインＤ１〜Ｄ４を形成したが、これに限定されるものではなく、これに代えて、例えば、画素電極などにスリットを形成することにより複数のドメインを形成してもよい。以下に、本変形例に係る立体表示装置１Ｃついて詳細に説明する。
【００８７】
図２６は、本変形例に係る表示部２０Ｃの一構成例を表すものであり、（Ａ）は画素電極２１２Ｃを示し、（Ｂ）は対向電極２２２Ｃを示し、（Ｃ）はサブ画素ＳＰixにおける液晶分子Ｍの平均的な配向方向を模式的に示している。
【００８８】
画素電極２１２Ｃは、サブ画素部分ＰＡ，ＰＢのそれぞれにおいて、同様の電極パターンで形成されている。画素電極２１２Ｃには、図２６（Ａ）に示したように、１つのスリットＳＬ１が設けられている。この例では、スリットＳＬ１は、画素電極２１２Ｃの中央付近において、水平方向Ｘに延伸するように形成されている。
【００８９】
対向電極２２２Ｃには、図２６（Ｂ）に示したように、サブ画素部分ＰＡ，ＰＢのそれぞれにおいて、２つのスリットＳＬ２が設けられている。この例では、２つのスリットＳＬ２のうちの１つは、サブ画素部分ＰＡ，ＰＢの上半分において、左下から右上へ向かう方向に延伸するように形成され、もう１つは、サブ画素部分ＰＡ，ＰＢの下半分において、左上から右下へ向かう方向に延伸するように形成されている。この構成でも、最小の構造ピッチは、サブ画素ピッチＰＳである。
【００９０】
これにより、サブ画素ＳＰixには、図２６（Ｃ）に示したように、４つのドメインＤ１〜Ｄ４が形成される。すなわち、サブ画素部分ＰＡ，ＰＢの上半分では、スリットＳＬ２に対応するドメイン境界ＢＲ４により区分されたドメインＤ１，Ｄ２が形成され、サブ画素部分ＰＡ，ＰＢの下半分では、ドメイン境界ＢＲ４により区分されたドメインＤ３，Ｄ４が形成される。また、ドメインＤ２，Ｄ３は、スリットＳＬ１に対応するドメイン境界ＢＲ３により区分される。
【００９１】
このように、各サブ画素部分ＰＡ，ＰＢは、４つのドメインＤ１〜Ｄ４を有する。その際、表示部７０では、スリットＳＬ１，ＳＬ２の数を少なくし、各ドメインＤ１〜Ｄ４を、それぞれ１つの閉じた領域に形成したので、構造ピッチを大きくすることができ、光が散乱されるおそれを低減することができる。これにより、本変形例に係る立体表示装置１Ｃでは、クロストーク値ＣＴを低減することができるため、画質を高めることができる。
【００９２】
また、さらに、後述する第２の実施の形態の変形例２−２の場合と同様に、ＵＶ光を照射することにより、液晶分子Ｍにプレチルトを付与してもよい。この場合には、液晶分子Ｍの配向方向をより安定にすることができ、応答時間を短くすることができる。
【００９３】
［変形例１−４］
上記実施の形態では、表示部２０において４つのドメインＤ１〜Ｄ４を形成したが、これに限定されるものではなく、これに代えて、例えば、対向電極にピンホールを設けることにより、ドメインを連続的に配置するようにしてもよい。以下に、本変形例に係る立体表示装置１Ｄについて詳細に説明する。
【００９４】
図２７は、本変形例に係る表示部２０Ｄの一構成例を表すものであり、（Ａ）は画素電極２１２を示し、（Ｂ）は対向電極２２２Ｄを示し、（Ｃ）はサブ画素ＳＰixにおける液晶分子Ｍの平均的な配向方向を模式的に示している。対向電極２２２Ｄには、図２７（Ｂ）に示したように、サブ画素部分ＰＡ，ＰＢに対応する領域に、ホール２３１Ｄがそれぞれ設けられている。この例では、ホール２３１Ｄは、画素電極２２２Ｄの中心に対応する位置にそれぞれ形成されている。これにより、サブ画素ＳＰixでは、図２７（Ｃ）に示したように、サブ画素部分ＰＡ，ＰＢのそれぞれにおいて、放射状に液晶分子Ｍが配向する。言い換えれば、サブ画素部分ＰＡ，ＰＢのそれぞれにおいて、微小なドメインが放射状に配置される。この構成でも、最小構造ピッチは、サブ画素ピッチＰＳである。
【００９５】
表示部２０Ｄでは、各サブ画素部分ＰＡ，ＰＢにおいて、画素電極２１２を一様に形成し、対向電極２２２Ｄもまたホール２３１Ｄを除き一様に形成したので、構造ピッチを大きくすることができ、光が散乱されるおそれを低減することができる。これにより、本変形例に係る立体表示装置１Ｄでは、クロストーク値ＣＴを低減することができるため、画質を高めることができる。
【００９６】
［変形例１−５］
上記実施の形態では、ＶＡ方式の表示部２０を用いたが、これに限定されるものではなく、これに代えて、例えば、ＴＮ（Twisted Nematic）方式の表示部を用いてもよい。以下に、本変形例に係る立体表示装置１Ｅついて詳細に説明する。
【００９７】
図２８は、表示部２０Ｅの一構成例を表すものである。表示部２０Ｅは、上記実施の形態に係る表示部２０とは異なり、サブ画素部分を設けず、サブ画素ＳＰixが一体として駆動されるものである。
【００９８】
表示部２０Ｅは、駆動基板２１０Ｅと、対向基板２２０Ｅと、液晶層２００Ｅとを備えている。駆動基板２１０Ｅは、画素電極２１２Ｅと、配向膜２１３Ｅとを有している。画素電極２１２Ｅは、例えばＩＴＯ等の透明導電膜により構成されるものであり、サブ画素ＳＰixに対応する領域内に一様に形成されている。画素電極２１２Ｅの上には、配向膜２１３Ｅが形成されている。対向基板２２０Ｅは、配向膜２２３Ｅを有している。配向膜２２３Ｅにより液晶分子Ｍを配向させる方向（配向方向）は、後述するように、配向膜２１３Ｅにより液晶分子Ｍを配向させる方向と交差するように設定されている。液晶層２００Ｅは、ＴＮ液晶により構成されるものである。
【００９９】
図２９は、表示部２０Ｅの一構成例を表すものであり、（Ａ）は画素電極２１２Ｅを示し、（Ｂ）はサブ画素ＳＰixにおける液晶分子Ｍの平均的な配向方向を模式的に示している。画素電極２１２Ｅは、図２９（Ａ）に示したように、サブ画素ＳＰix内において一様に形成されている。また、表示部２０Ｅでは、図２９（Ｂ）に示したように、サブ画素ＳＰix内において、液晶分子Ｍの方向が一様になるように動作する。すなわち、表示部２０Ｅは、シングルドメインの表示パネルである。この構成でも、最小構造ピッチは、サブ画素ピッチＰＳである。
【０１００】
図３０は、液晶層２００Ｅの動作を模式的に表すものであり、（Ａ）は画素電極２１２Ｅと対向電極２２２との間に電位差がない場合を示し、（Ｂ）は電位差がある場合を示す。
【０１０１】
電位差がない場合には、図３０（Ａ）に示すように、液晶層２００Ｅの液晶分子Ｍは、その長軸が駆動基板２１０Ｅや対向基板２２０Ｅの基板面に平行になっている。配向膜２１３Ｅの近くの液晶分子Ｍは、その長軸が配向膜２１３Ｅによって所定の方向に配向し、配向膜２２３Ｅの近くの液晶分子Ｍは、その長軸が配向膜２２３Ｅによって所定の方向に配向する。その際、配向膜２１３Ｅが配向させる液晶分子Ｍの配向方向と、配向膜２２３Ｅが配向させる液晶分子Ｍの向きとが、互いに交差するようになっており、液晶層２００Ｅの内部の液晶分子Ｍは、ねじれるように配向する。
【０１０２】
一方、電位差がある場合には、図３０（Ｂ）に示すように、液晶層２００Ｅの液晶分子Ｍは、その長軸が駆動基板２１０Ｅや対向基板２２０Ｅの基板面に垂直になる。
【０１０３】
表示部２０Ｅでは、各サブ画素ＳＰixにおいて、画素電極２１２Ｅを一様に形成したので、構造ピッチを大きくすることができ、光が散乱されるおそれを低減することができる。これにより、本変形例に係る立体表示装置１Ｅでは、クロストーク値ＣＴを低減することができるため、画質を高めることができる。
【０１０４】
［変形例１−６］
上記実施の形態では、観察者の側に表示部２０を配置し、バックライト３０側にバリア部１０を配置したが、これに限定されるものではなく、これに代えて、例えば、観察者の側にバリア部１０を配置し、バックライト３０側に表示部２０を配置してもよい。この場合には、バリア部１０の構造ピッチを、表示部２０の構造ピッチよりも大きく構成することが望ましい。これにより、バリア部１０における散乱を少なくすることができ、クロストークを低減することができるとともに、表示部２０のクロストーク値ＣＴへの影響を抑えることができるため、表示部２０の設計の自由度を高めることができる。
【０１０５】
＜２．第２の実施の形態＞
次に、第２の実施の形態に係る立体表示装置２について説明する。本実施の形態は、開閉部１１，１２を、４ドメインの液晶バリアにより構成したものである。なお、上記第１の実施の形態に係る立体表示装置１と実質的に同一の構成部分には同一の符号を付し、適宜説明を省略する。
【０１０６】
図３１は、本実施の形態に係るバリア部７０の断面構成例を表すものである。バリア部７０は、駆動基板７１０と、対向基板７２０とを備えている。駆動基板７１０はバリア電極７１２を有している。バリア電極７１２は、上記第１の実施の形態に係るバリア電極３１２と同様に、開閉部１１，１２に対応する領域に配設されている。バリア電極７１２は、例えばＩＴＯ等の透明導電膜により構成されるものであり、後述するように、幹部分８１，８２および枝部分８３を有するものである。対向基板７２０は、対向電極７２２を有している。対向電極７２２は、バリア部７０の全面において一様に形成されている。
【０１０７】
図３２は、バリア電極７１２の一構成例を表すものである。バリア電極７１２は、幹部分８１，８２と、枝部分８３とを有している。幹部分８１，８２は、互いに離間して、バリア電極７１２の延伸方向に延伸するように形成されている。枝部分８３は、幹部分８１の両側に配置された２つの枝領域９１，９２において、幹部分８１から延伸するとともに枝ピッチＰＦで配列し、幹部分８２の両側に配置された２つの枝領域９３，９４において、幹部分８２から延伸するとともに枝ピッチＰＦで配列して形成されている。枝部分８３は、枝領域９１〜９４のそれぞれにおいて同じ方向に延伸している。枝領域９１，９４の枝部分８３は、水平方向Ｘから時計まわりに所定の角度φ（例えば４５度）だけ回転させた方向に延伸しており、枝領域９２，９３の枝部分８３は、水平方向Ｘから反時計まわりに所定の角度φ（例えば４５度）だけ回転させた方向に延伸している。この構成により、バリア部７０の開閉部１１，１２には、枝領域９１〜９４に対応する４つのドメインが形成される。
【０１０８】
ここで、枝部分８３は、本開示における「第１の構造体」の一具体例に対応する。枝ピッチＰＦは、本開示における「第１のピッチ」の一具体例に対応する。
【０１０９】
このように、バリア部７０では、枝領域９１〜９４のそれぞれにおいて、枝部分８３を枝ピッチＰＦで配列している。よって、バリア部７０における最小の構造ピッチは、枝ピッチＰＦとなる。よって、この場合でも、バリア部７０の構造ピッチを、表示部２０のサブ画素ピッチＰＳよりも小さくすることができる。
【０１１０】
以上のように本実施の形態では、開閉部のそれぞれにおいて４つのドメインを形成したので、視野角特性を高めることができる。その他の効果は、上記第１の実施の形態の場合と同様である。
【０１１１】
［変形例２−１］
上記実施の形態では、バリア部７０において、開閉部１１，１２のそれぞれが２つの幹部分８１，８２を有するように構成したが、これに限定されるものではなく、これに代えて、例えば、図３３に示したように、開閉部１１，１２のそれぞれが１つの幹部分８６を有するように構成してもよい。この構成でも、バリア部７０における最小の構造ピッチは、枝ピッチＰＦである。
【０１１２】
［変形例２−２］
上記実施の形態では、表示部２０において、ドメインＤ１〜Ｄ４を形成するために配向膜２１３，２２３に光配向処理を施したが、これに限定されるものではなく、これに代えて、液晶分子Ｍの配向を定めるための透明電極を追加してもよい。以下に、本変形例に係る立体表示装置２Ｆついて詳細に説明する。
【０１１３】
図３４は、本変形例に係る表示部２０Ｆの断面構成例を表すものである。表示部２０Ｆは、駆動基板２１０Ｆと、対向基板２２０Ｆとを有する。駆動基板２１０Ｆは、絶縁層２１５Ｆと、透明電極２１６Ｆと、配向膜２１７Ｆとを有している。絶縁層２１５Ｆは、画素電極２１２の上に形成されている。この絶縁層２１５Ｆは、例えば、ＳｉＮにより構成されるものである。絶縁層２１５Ｆの上の、サブ画素部分ＰＡ，ＰＢに対応する領域には、透明電極２１６Ｆが形成されている。この透明電極２１６Ｆは、例えばＩＴＯ等の透明導電膜により構成されるものであり、後述するように、幹部分６１，６２および枝部分６３を有するものである。そして透明電極２１６Ｆの上には、配向膜２１７Ｆが形成されている。対向基板２２０Ｆは、配向膜２２３Ｆを有している。配向膜２２３Ｆは、対向電極２２０Ｆの上に形成されている。この例では、液晶層２００に、ＵＶ硬化性のモノマーを混入している。
【０１１４】
図３５は、表示部２０Ｆの一構成例を表すものであり、（Ａ）は画素電極２１２を示し、（Ｂ）は透明電極２１６Ｆを示し、（Ｃ）はサブ画素ＳＰixにおける液晶分子Ｍの配向を模式的に示している。
【０１１５】
透明電極２１６Ｆは、サブ画素部分ＰＡ，ＰＢのそれぞれにおいて、同様の電極パターンで形成されている。透明電極２１６Ｆは、図３５（Ｂ）に示したように、幹部分６１，６２と、枝部分６３とを有している。幹部分６１は、垂直方向Ｙに延伸するように形成されており、幹部分６２は、水平方向Ｘに延伸するとともに幹部分６１と交差するように形成されている。枝部分６３は、幹部分６１および幹部分６２により区切られた４つの枝領域７１〜７４において、幹部分６１および幹部分６２から延伸するように形成されている。
【０１１６】
枝部分６３は、枝領域７１〜７４のそれぞれにおいて同じ方向に延伸している。枝領域７１の枝部分６３の延伸方向と、枝領域７３の枝部分６３の延伸方向とは、垂直方向Ｙを軸として線対称になっており、同様に、枝領域７２の枝部分６３の延伸方向と、枝領域７４の枝部分６３の延伸方向とは、垂直方向Ｙを軸として線対称になっている。また、枝領域７１の枝部分６３の延伸方向と、枝領域７２の枝部分６３の延伸方向とは、水平方向Ｘを軸として線対称になっており、同様に、枝領域７３の枝部分６３の延伸方向と、枝領域７４の枝部分６３の延伸方向とは、水平方向Ｘを軸として線対称になっている。この例では、具体的には、枝領域７１，７４の枝部分６３は、水平方向Ｘから反時計まわりに所定の角度φ（例えば４５度）だけ回転させた方向に延伸しており、枝領域７２，７３の枝部分６３は、水平方向Ｘから時計まわりに所定の角度φ（例えば４５度）だけ回転させた方向に延伸している。この構成により、表示部２０Ｆにおける最小の構造ピッチは、枝ピッチＰＦとなる。
【０１１７】
この表示部２０Ｆの製造工程では、表示部２０Ｆを一旦組み立てた後、透明電極３１２と対向電極２２２との間に電圧を印加しつつＵＶ光を照射することにより、液晶層２００の液晶分子Ｍにプレチルトを付与し、液晶分子Ｍの配向を定める。これにより、サブ画素ＳＰixには、図３５（Ｃ）に示したように、サブ画素部分ＰＡ，ＰＢのそれぞれにおいて、４つのドメインＤ１〜Ｄ４が形成される。このドメインＤ１〜Ｄ４は、枝領域９１〜９４に対応して形成されるものである。
【０１１８】
この表示部２０Ｆは、表示動作を行う場合には、例えば、画素電極２１２および対応する透明電極２１６Ｆに同じ画素信号を印加する。これにより、表示部２０Ｆでは、主に画素電極２１２と対向電極２２２との間の電位差により液晶層２００を駆動するため、電界をほぼ平坦にすることができ、液晶層２００における光の散乱を低減することができる。これにより、本変形例に係る立体表示装置１Ｆでは、クロストーク値ＣＴを低減することができるため、画質を高めることができる。
【０１１９】
特に、バリア部７０における枝ピッチＰＦが、表示部２０Ｆの枝ピッチＰＦよりも小さい場合には、モアレを低減することができ、表示面内における輝度分布の均一性をより高めることができる。
【０１２０】
＜３．適用例＞
次に、上記実施の形態および変形例で説明した立体表示装置の適用例について説明する。
【０１２１】
図３６は、上記実施の形態等の立体表示装置が適用されるテレビジョン装置の外観を表すものである。このテレビジョン装置は、例えば、フロントパネル９１１およびフィルターガラス９１２を含む映像表示画面部９１０を有している。このテレビジョン装置は、上記実施の形態等に係る立体表示装置により構成されている。
【０１２２】
上記実施の形態等の立体表示装置は、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の立体表示装置は、映像を表示するあらゆる分野の電子機器に適用することが可能である。
【０１２３】
以上、いくつかの実施の形態および変形例、ならびに電子機器への適用例を挙げて本技術を説明したが、本技術はこれらの実施の形態等には限定されず、種々の変形が可能である。
【０１２４】
例えば、上記実施の形態等では、バリア部１０をＶＡ方式の液晶バリアにより構成したが、これに限定されるものではなく、これに代えて、ＴＮ方式の液晶バリアにより構成してもよい。
【０１２５】
また、例えば、上記実施の形態等では、サブ画素部分ＰＡ，ＰＢのそれぞれにおいて４つのドメインを形成したが、これに限定されるものではなく、これに代えて、例えば３つ以下、もしくは５つ以上のドメインを形成してもよい。
【０１２６】
また、例えば、上記実施の形態等では、開閉部１２を４つのグループにグループ分けしたが、これに限定されるものではなく、３つ以下もしくは５つ以上のグループにグループ分けをしてもよい。また、開閉部１２をグループ分けしなくてもよい。この場合には、開閉部１２は、立体視表示の際には常に開状態（透過状態）になる。
【０１２７】
また、例えば、上記実施の形態等では、立体視表示の際に８つの視点映像を表示するようにしたが、これに限定されるものではなく、７つ以下の視点映像や、９つ以上の視点映像を表示してもよい。この場合、図１１に示したバリア部１０の開閉部１２Ａ〜１２Ｄと、サブ画素ＳＰixとの相対的な位置関係も変化する。すなわち、例えば、９つの視点映像を表示する場合には、開閉部１２Ａ〜１２Ｄのそれぞれは、表示部２０の９つのサブ画素ＳＰixに１つの割合で設けることが望ましい。
【０１２８】
また、例えば、上記実施の形態等では、パララックスバリア方式の立体表示装置を構成したが、これに限定されるものではなく、これに代えて、例えばレンチキュラーレンズ方式の立体表示装置を構成してもよい。
【０１２９】
なお、本技術は以下のような構成とすることができる。
【０１３０】
（１）第１のピッチで配置された第１の構造体を有する光線制御部と、
第２のピッチで配置された第２の構造体を有する液晶表示部と、
バックライトと
を備え、
前記液晶表示部および前記光線制御部のうちの構造体の配置ピッチが小さい一方が、他方と前記バックライトとの間に配置されている
表示装置。
【０１３１】
（２）前記第１のピッチは、前記第２のピッチよりも小さく、
前記光線制御部は、前記液晶表示部と前記バックライトとの間に配置されている
前記（１）に記載の表示装置。
【０１３２】
（３）前記光線制御部は、開状態と閉状態とを切り換え可能な、第１の方向に延在する複数の液晶バリアを有する
前記（２）に記載の表示装置。
【０１３３】
（４）前記光線制御部は、
各液晶バリアに対応する領域に設けられ、並設された複数のサブ電極を含む第１の電極と、
前記複数の液晶バリアに対応する領域に共通に設けられ、各サブ電極に対応する位置にホールを有する第２の電極と、
前記第１の電極と前記第２の電極との間に設けられた第１の液晶層と
を有し、
前記第１の構造体は、前記サブ電極である
前記（３）に記載の表示装置。
【０１３４】
（５）前記第１の電極は、前記第１の方向に延伸する１または複数の第１のスリットと、前記第１の方向と交差する第２の方向に延伸する複数の第２のスリットを有し、
前記複数のサブ電極は、前記第１のスリットおよび前記第２のスリットにより区分されたものである
前記（４）に記載の表示装置。
【０１３５】
（６）前記光線制御部は、
各液晶バリアに対応する領域に設けられ、前記第１の方向に延伸する第１の幹部分と、前記幹部分から延伸するように並設された複数の第１の枝部分とを含む第１の電極と、
前記複数の液晶バリアに対応する領域に共通に設けられた第２の電極と、
前記第１の電極と前記第２の電極との間に設けられた第１の液晶層と
を有し、
前記第１の構造体は、前記第１の枝部分である
前記（３）に記載の表示装置。
【０１３６】
（７）前記複数の第１の枝部分は、前記第１の幹部分の両側に形成された
前記（６）に記載の表示装置。
【０１３７】
（８）前記液晶表示部は、
複数の単位画素にそれぞれ対応づけられた第３の電極と、
前記複数の単位画素に対応する領域に共通に設けられた第４の電極と、
前記第３の電極と前記第４の電極との間に設けられた第２の液晶層と
を有し、
各単位画素は、前記第２の液晶層の液晶配向が互いに異なる複数のドメイン、または単一のドメインを有し、
前記第３の電極は、前記複数のドメインのそれぞれまたは前記単一のドメインにおいて一様に形成されている
前記（２）に記載の表示装置。
【０１３８】
（９）前記単位画素は複数のドメインを有し、
前記複数のドメインは、それぞれが１つの連続領域として構成されている
前記（８）に記載の表示装置。
【０１３９】
（１０）前記液晶表示部は、
前記第２の液晶層と前記第３の電極との間に設けられ、前記液晶配向を定める複数の第１の配向領域を含む第１の配向膜と、
前記第２の液晶層と前記第４の電極との間に設けられ、前記液晶配向を定める複数の第２の配向領域を含む第２の配向膜と
を有し、
前記ドメインは、前記第１の配向領域および前記第２の配向領域により画定される領域である
前記第２の構造体は、前記第３の電極である
前記（９）に記載の表示装置。
【０１４０】
（１１）前記第１の配向膜は、前記単位画素に対応する領域において、並設された２つの前記第１の配向領域を含み、
前記第２の配向膜は、前記単位画素に対応する領域において、前記第１の配向領域の並設方向と交差する方向に並設された２つの前記第２の配向領域を含み、
各単位画素は、４つのドメインを有する
前記（１０）に記載の表示装置。
【０１４１】
（１２）前記液晶表示部は、前記第３の電極と前記第２の液晶層との間に設けられた第５の電極を有し、
前記第５の電極は、互いに同じ方向に延伸する第２の枝部分を含む枝領域を複数有し、
前記ドメインは、前記枝領域に対応する領域であり、
前記第２の構造体は、前記第２の枝部分である
前記（９）に記載の表示装置。
【０１４２】
（１３）前記第５の電極は、
第２の幹部分と、
前記第２の幹部分と交差する第３の幹部分と
をさらに有し、
前記枝領域は、前記第２の幹部分および前記第３の幹部分により分けられた４つの領域であり、
前記枝部分は、前記第２の幹部分および前記第３の幹部分から、前記枝領域間で互い異なる方向に延伸する
前記（１２）に記載の表示装置。
【０１４３】
（１４）前記第３の電極は１または２の第３のスリットを有し、
前記第４の電極は、前記単位画素に対応する領域内において、前記１または２の第３のスリットとは異なる部分に形成された１または２の第４のスリットを有し、
前記ドメインは、前記１または２の第３のスリットおよび前記１または２の第４のスリットにより画定される領域である
前記（９）に記載の表示装置。
【０１４４】
（１５）前記第３の電極は１つの前記第３のスリットを有し、
前記第４の電極は、前記単位画素に対応する領域のうち、前記第３のスリットにより分けられた２つの領域のそれぞれにおいて、１つの前記第４のスリットを有する
前記（１４）に記載の表示装置。
【０１４５】
（１６）前記第４の電極は、前記単位画素に対応する部分にホールを有し、
前記ドメインは、前記ホールの周りに配置された領域である
前記（９）に記載の表示装置。
【０１４６】
（１７）前記単位画素は単一のドメインを有し、
前記液晶層はＴＮ液晶であり、
前記ドメインは、前記単位画素に対応する領域である
前記（８）に記載の表示装置。
【０１４７】
（１８）前記単位画素は複数のドメインを有し、
前記複数のドメインの面積は、互いにほぼ等しい
前記（９）から（１６）のいずれかに記載の表示装置。
【０１４８】
（１９）前記液晶表示部は、複数の画素を有し、
前記画素は、それぞれが複数のサブ画素を有し、
前記サブ画素は、複数の前記単位画素を有する
前記（８）から（１８）のいずれかに記載の表示装置。
【０１４９】
（２０）前記液晶表示部は、複数の画素を有し、
前記画素は、それぞれが複数のサブ画素を有し、
前記サブ画素は、前記単位画素である
前記（８）から（１８）のいずれかに記載の表示装置。
【０１５０】
（２１）表示装置と
前記表示装置を利用した動作制御を行う制御部と
を備え、
前記表示装置は、
第１のピッチで配置された第１の構造体を有する光線制御部と、
第２のピッチで配置された第２の構造体を有する液晶表示部と、
バックライトと
を有し、
前記液晶表示部および前記光線制御部のうちの構造体の配置ピッチが小さい一方が、他方と前記バックライトとの間に配置されている
電子機器。
【符号の説明】
【０１５１】
１，２…立体表示装置、１０，７０…バリア部、１１，１２，１２Ａ〜１２Ｄ…開閉部、２０，２０Ｃ，２０Ｄ，２０Ｅ，２０Ｆ…表示部、３０…バックライト、４０…制御部、４１…バリア駆動部、４３…バックライト駆動部、５０…表示駆動部、５１…タイミング制御部、５２…ゲートドライバ、５３…データドライバ，５４Ａ，５４Ｂ…ＬＵＴ、６１，６２，８１，８２，８６…幹部分、６３，８３，８７…枝部分、７１〜７４，９１〜９４，９６，９７…枝領域、２００，２００Ｅ…液晶層、２１０，２１０Ｅ，２１０Ｆ…駆動基板、２１１，２２１…透明基板、２１２，２１２Ｃ，２１２Ｅ…画素電極、２１３，２１３Ｅ，２１７Ｆ，２２３，２２３Ｅ，２２３Ｆ…配向膜、２１４，２２４…偏光板、２１５Ｆ…絶縁膜、２１６Ｆ…透明電極、２２０，２２０Ｅ，２２０Ｆ…対向基板、２２２，２２２Ｃ…対向電極、２３１Ｄ…ホール、３１０，７１０…駆動基板、３１１，３２１…透明基板、３１２，７１２…バリア電極、３１３，３２３…配向膜、３１４，３２４…偏光板、３２０，７２０…対向基板、３２２，７２２…対向電極、３３０…サブ電極部分、３３１…ホール、Ａ１，Ａ２…配置、Ｂ１〜Ｂ３…電極形状、ＢＭ…ブラックマトリクス、ＣｓＡ，ＣｓＢ…保持容量素子、ＣＳＬ…保持容量線、ＣＴ…クロストーク値、Ｄ１〜Ｄ４…ドメイン、ＧＣＬＡ，ＧＣＬＢ…ゲート線、ＬＣＡ，ＬＣＢ…液晶素子、ＭＭ…モアレ変調度、Ｍ１，Ｍ２…暗線、ＰＡ，ＰＢ…サブ画素部分、ＰＥ…サブ電極ピッチ、ＰＦ…枝ピッチ、Ｐix…画素、ＰＳ…サブ画素ピッチ、Ｐ１〜Ｐ８…画素情報、Ｓdisp，Ｓdisp2，Ｓdisp3…映像信号、ＳＰix…サブ画素、ＳＧＬ…データ線、ＳＬ１，ＳＬ２，ＳＬ１１〜ＳＬ１３…スリット、ＴｒＡ，ＴｒＢ…ＴＦＴ素子、Ｗ１１，Ｗ１２…幅。
【図１】
2014016526.tif 000003
【図２】
2014016526.tif 000004
【図３】
2014016526.tif 000005
【図４】
2014016526.tif 000006
【図５】
2014016526.tif 000007
【図６】
2014016526.tif 000008
【図７】
2014016526.tif 000009
【図８】
2014016526.tif 000010
【図９】
2014016526.tif 000011
【図１０】
2014016526.tif 000012
【図１１】
2014016526.tif 000013
【図１２】
2014016526.tif 000014
【図１３】
2014016526.tif 000015
【図１４】
2014016526.tif 000016
【図１５】
2014016526.tif 000017
【図１６】
2014016526.tif 000018
【図１７】
2014016526.tif 000019
【図１８】
2014016526.tif 000020
【図１９】
2014016526.tif 000021
【図２０】
2014016526.tif 000022
【図２１】
2014016526.tif 000023
【図２２】
2014016526.tif 000024
【図２３】
2014016526.tif 000025
【図２４】
2014016526.tif 000026
【図２５】
2014016526.tif 000027
【図２６】
2014016526.tif 000028
【図２７】
2014016526.tif 000029
【図２８】
2014016526.tif 000030
【図２９】
2014016526.tif 000031
【図３０】
2014016526.tif 000032
【図３１】
2014016526.tif 000033
【図３２】
2014016526.tif 000034
【図３３】
2014016526.tif 000035
【図３４】
2014016526.tif 000036
【図３５】
2014016526.tif 000037
【図３６】
2014016526.tif 000038